【手続補正書】
【提出日】平成29年3月10日(2017.3.10)
【手続補正１】
【補正対象書類名】特許請求の範囲
【補正対象項目名】全文
【補正方法】変更
【補正の内容】
【特許請求の範囲】
【請求項１】
プロセス制御プラントの図形的描写内のプロセス変数を監視するためのプロセス変数ペインを提供するためのコンピューティングデバイスにおける方法であって、
１つ以上の図形傾向記号を含む、プロセス制御プラントの図形的描写を表示することであって、各図形傾向記号が、（ｉ）前記プロセス制御プラントの前記図形的描写内のプロセス変数に関連付けられ、かつ（ｉｉ）前記関連付けられたプロセス変数に関するプロセス制御情報を図形的に表す、表示することと、
前記プロセス制御プラントの前記表示された図形的描写に関連付けられる１つ以上のプロセス変数ペインを表示することであって、各プロセス変数ペインが、前記プロセス制御プラントの前記図形的描写内に表示される前記１つ以上のプロセス変数に対応する１つ以上のプロセス変数セレクタアイコンを含み、各プロセス変数セレクタアイコンが、前記プロセス制御プラントの前記図形的描写内に表示される前記図形傾向記号のうちの１つに対応する図形傾向記号を含む、表示することと、
特定のプロセス変数についての前記プロセス変数ペインのうちの第１のものに関連付けられる前記プロセス変数セレクタアイコンのうちの１つの選択を受信することと、
前記選択の受信に応答して、（ｉ）前記プロセス変数ペインのうちの少なくとも第２のものの中の前記対応する図形傾向記号、及び（ｉｉ）前記プロセス制御プラントの前記図形的描写中の前記対応する図形傾向記号を強調表示することと、を含む、プロセス変数ペインを提供する方法。
【請求項２】
各プロセス変数セレクタアイコンを表示することが、前記プロセス変数セレクタアイコンに関連付けられる前記プロセス変数に関連付けられる１つ以上のプロセス変数属性を表示することを含む、請求項１に記載のプロセス変数ペインを提供する方法。
【請求項３】
前記プロセス変数属性が、パラメータ名、操作しているユニットの種類、警報始動点、デジタル出力プロセス変数値、傾向グラフ、または警報タグのうち少なくとも１つを含む、請求項２に記載のプロセス変数ペインを提供する方法。
【請求項４】
特定のプロセス変数ペインの各プロセス変数セレクタアイコンを、同じ数のプロセス変数属性と共に表示することをさらに含み、各プロセス変数ペインが、他のプロセス変数ペインからの固有の数のプロセス変数属性を含むプロセス変数セレクタアイコンを含む、請求項２又は請求項３に記載のプロセス変数ペインを提供する方法。
【請求項５】
（ｉ）危機的な状態のプロセス変数に関連付けられる各プロセス変数ペイン内の各プロセス変数セレクタアイコン、及び（ｉｉ）各プロセス変数セレクタアイコンに関連付けられる前記１つ以上のプロセス変数属性を表示することをさらに含む、請求項２〜請求項４のいずれか一項に記載のプロセス変数ペインを提供する方法。
【請求項６】
１つ以上のプロセス変数ペインを表示することが、前記１つ以上のプロセス変数ペインを、固定された、制限された領域内に表示することを含む、請求項１〜請求項５のいずれか一項に記載のプロセス変数ペインを提供する方法。
【請求項７】
前記固定された、制限された領域内に留まりながら、１つのプロセス変数ペインについてできるだけ多くのプロセス変数セレクタアイコンをさらに表示する、請求項６に記載のプロセス変数ペインを提供する方法。
【請求項８】
前記固定された、制限された領域内に留まりながら、前記プロセス変数ペインのうちの１つの中に、できるだけ多くのプロセス変数セレクタアイコン、及び対応する１つ以上のプロセス変数属性を表示することをさらに含む、請求項６又は請求項７に記載のプロセス変数ペインを提供する方法。
【請求項９】
前記選択の前記受信が、前記プロセス変数セレクタアイコンのうちの前記第１のものに関連付けられるホバーイベントを受信することを含む、請求項１〜請求項８のいずれか一項に記載のプロセス変数ペインを提供する方法。
【請求項１０】
コンピュータ可読記憶媒体であって、ユーザインターフェースを有するコンピューティングデバイスを介して、プロセス制御プラントの図形的描写内のプロセス変数を監視するためのプロセス変数ペインを提供するための、プロセッサによって実行可能な、命令のセットをその上に記憶し、前記命令が、
１つ以上の図形傾向記号を含む、プロセス制御プラントの図形的描写を表示するための命令であって、各図形傾向記号が、（ｉ）前記プロセス制御プラントの前記図形的描写内のプロセス変数に関連付けられ、かつ（ｉｉ）前記関連付けられたプロセス変数に関するプロセス制御情報を図形的に表す、命令と、
前記プロセス制御プラントの前記表示された図形的描写に関連付けられる１つ以上のプロセス変数ペインを表示するための命令であって、各プロセス変数ペインが、前記プロセス制御プラントの前記図形的描写内に表示される前記１つ以上のプロセス変数に対応する１つ以上のプロセス変数セレクタアイコンを含み、各プロセス変数セレクタアイコンが、前記プロセス制御プラントの前記図形的描写内に表示される前記図形傾向記号のうちの１つに対応する図形傾向記号を含む、命令と、
特定のプロセス変数についての前記プロセス変数ペインのうちの第１のものに関連付けられる前記プロセス変数セレクタアイコンのうちの１つの選択を受信するための命令と、
前記選択の受信に応答して、（ｉ）前記プロセス変数ペインのうちの少なくとも第２のものの中の前記対応する図形傾向記号、及び（ｉｉ）前記プロセス制御プラントの前記図形的描写中の前記対応する図形傾向記号を強調表示するための命令と、を含む、コンピュータ可読記憶媒体。
【請求項１１】
各プロセス変数セレクタアイコンを表示するための前記命令が、前記プロセス変数セレクタアイコンに関連付けられる前記プロセス変数に関連付けられる１つ以上のプロセス変数属性を表示するための命令を含む、請求項１０に記載のコンピュータ可読記憶媒体。
【請求項１２】
前記プロセス変数属性が、パラメータ名、操作しているユニットの種類、警報始動点、デジタル出力プロセス変数値、傾向グラフ、または警報タグのうち少なくとも１つを含む、請求項１１に記載のコンピュータ可読記憶媒体。
【請求項１３】
特定のプロセス変数ペインの各プロセス変数セレクタアイコンを、同じ数のプロセス変数属性と共に表示するための命令をさらに含み、各プロセス変数ペインが、他のプロセス変数ペインからの固有の数のプロセス変数属性を含むプロセス変数セレクタアイコンを含む、請求項１１又は請求項１２に記載のコンピュータ可読記憶媒体。
【請求項１４】
（ｉ）危機的な状態のプロセス変数に関連付けられる各プロセス変数ペイン内の各プロセス変数セレクタアイコン、及び（ｉｉ）各プロセス変数セレクタアイコンに関連付けられる前記１つ以上のプロセス変数属性を表示するための命令をさらに含む、請求項１１〜請求項１３のいずれか一項に記載のコンピュータ可読記憶媒体。
【請求項１５】
１つ以上のプロセス変数ペインを表示するための命令が、前記１つ以上のプロセス変数ペインを、固定された、制限された領域内に表示するための命令を含む、請求項１０〜請求項１４のいずれか一項に記載のコンピュータ可読記憶媒体。
【請求項１６】
前記固定された、制限された領域内に留まりながら、１つのプロセス変数ペインについてできるだけ多くのプロセス変数セレクタアイコンを表示するための命令をさらに含む、請求項１５に記載のコンピュータ可読記憶媒体。
【請求項１７】
前記固定された、制限された領域内に留まりながら、前記プロセス変数ペインのうちの１つの中に、できるだけ多くのプロセス変数セレクタアイコン、及び対応する１つ以上のプロセス変数属性を表示するための命令をさらに含む、請求項１５又は請求項１６に記載のコンピュータ可読記憶媒体。
【請求項１８】
前記選択を受信するための前記命令が、前記プロセス変数セレクタアイコンのうちの前記第１のものに関連付けられるホバーイベントを受信するための命令を含む、請求項１０〜請求項１７のいずれか一項に記載のコンピュータ可読記憶媒体。